(57)【特許請求の範囲】
【請求項１】
静止面上に、一方向に向かって並設されると共に上下方向に積み重ねられる複数の水入り容器を備えた放射線遮蔽装置において、
上記静止面上に立設される支持フレームと、上記各水入り容器を互いに連結すると共に、これら各水入り容器を上記支持フレームに連結する連結体とを備え、
上記連結体が、平坦形状に展開可能で、上記複数の水入り容器を一体的に包み込むように収容する収容膜体と、この収容膜体に取り付けられ、上記各水入り容器を包み込んだ上記収容膜体を上記各水入り容器と共に結束する結束具と、この収容膜体を上記支持フレームに取り付ける取付具とを有することを特徴とする放射線遮蔽装置。
【請求項２】
前記収容膜体は、前記一方向かつ上下方向に延び、前記一方向に向かって並設された各水入り容器に対し、前記一方向に直交する直交方向で対面する基部膜体と、前記基部膜体の下端縁部から一体的に延出し、前記各水入り容器の下部をその下方から包み込む下部膜体と、前記基部膜体の上端縁部から一体的に延出し、前記各水入り容器の上部をその上方から包み込む上部膜体と、前記基部膜体の上記一方向での各側端縁部から一体的に延出し、前記各水入り容器の各側部をその外側方から包み込む一対の側部膜体とを有することを特徴とする請求項１に記載の放射線遮蔽装置。
【請求項３】
前記取付具は、上記収容膜体の各側部膜体にそれぞれ固着され、上記支持フレームに巻き付け可能とされるバンドと、バンドに取り付けられ、バンドを上記支持フレームに巻き付けた状態を解除可能に保持するクリップとを有する請求項２に記載の放射線遮蔽装置。
【請求項４】
上下方向に積み重ねられた連結体同士を互いに結合する結合具を備えたことを特徴とする請求項１から３のうちいずれか１つに記載の放射線遮蔽装置。
【請求項５】
上記水入り容器を市販のペットボトルで構成したことを特徴とする請求項１から４のうちいずれか１つに記載の放射線遮蔽装置。
【請求項６】
上記支持フレームを門型に形成し、上記静止面と支持フレームとで囲まれた空間内に上記各水入り容器を配置したことを特徴とする請求項１から５のうちいずれか１つに記載の放射線遮蔽装置。
【発明の詳細な説明】
【技術分野】
【０００１】
本発明は、建物の床など静止面上に並設されると共に積み重ねられる水入り容器により放射線を遮蔽するようにした放射線遮蔽装置に関するものである。
【背景技術】
【０００２】
水が放射線を遮蔽する効果を有することについては一般的に知られており、これに着目した放射線遮蔽装置には、従来、下記特許文献１の特に図４に示されるものがある。この公報のものによれば、遮蔽装置は、静止面上に、一方向に向かって並設されると共に上下方向に積み重ねられる複数の水入り容器を備えている。
【０００３】
上記遮蔽装置は、研究目的などのため、電子ビームやＸ線の放射線照射装置から照射される放射線を遮蔽するものである。この遮蔽装置は、一時的に簡易に用いられることを主目的とするものであり、このため、この遮蔽装置の設置作業が容易かつ迅速にできるよう、上記したように水入り容器を並設して積み重ねることとされている。
【先行技術文献】
【特許文献】
【０００４】
【特許文献１】特開平９−３０４５８８号公報
【発明の概要】
【発明が解決しようとする課題】
【０００５】
ところで、従来の技術の遮蔽装置は、静止面上に水入り容器を並設すると共に単に積み重ねることにより設置されるものであるため、この遮蔽装置を構成する水入り容器は、作業者などから何らかの外力が与えられたり地震が発生したりすることによって、容易に崩れるおそれがある。よって、遮蔽装置の設置途中においては、上記したような水入り容器の崩れに留意しつつこれら水入り容器を積み重ねることが求められるが、このため、上記遮蔽装置の設置作業は煩雑になりがちである。また、上記遮蔽装置の設置後においては、この遮蔽装置を強度的に安定した状態に維持することは容易でない。
【０００６】
そこで、上記各水入り容器が容易には崩れないようにするため、これら水入り容器をそれぞれ崩れ難い所定形状のブロックにして積み重ねることが考えられる。しかし、このようにした場合には、上記遮蔽装置の設置を予定するところには、上記所定形状のブロックを予め多量に準備しておくことが求められる。よって、その分、遮蔽装置の構成が複雑になって、この遮蔽装置の形成や設置のコストが高価になるおそれを生じる。
【課題を解決するための手段】
【０００７】
本発明は、上記のような事情に注目してなされたもので、本発明の目的は、遮蔽装置の設置作業が容易かつ迅速にできるようにすると共に、設置後の遮蔽装置を強度的に安定した状態に維持できるようにすることである。
【０００８】
また、本発明の他の目的は、上記遮蔽装置の構成を簡単にできるようにして、この遮蔽装置の形成や設置のコストを安価にできるようにすることである。
【０００９】
請求項１の発明は、静止面３上に、一方向Ａに向かって並設されると共に上下方向に積み重ねられる複数の水入り容器４を備えた放射線遮蔽装置において、
上記静止面３上に立設される支持フレーム５と、上記各水入り容器４を互いに連結すると共に、これら各水入り容器４を上記支持フレーム５に連結する連結体６とを備え、上記連結体６が、平坦形状に展開可能で、上記複数の水入り容器４を一体的に包み込むように収容する収容膜体１９と、この収容膜体１９に取り付けられ、上記各水入り容器４を包み込んだ上記収容膜体１９を上記各水入り容器４と共に結束する結束具２０と、この収容膜体１９を上記支持フレーム５に取り付ける取付具１６とを有することを特徴とする放射線遮蔽装置である。
【００１０】
請求項４の発明は、上下方向に積み重ねられた連結体６同士を互いに結合する結合具４１を備えたことを特徴とする請求項１から３のうちいずれか１つに記載の放射線遮蔽装置である。
【００１１】
請求項５の発明は、上記水入り容器４を市販のペットボトルで構成したことを特徴とする請求項１から４のうちいずれか１つに記載の放射線遮蔽装置である。
【００１２】
請求項６の発明は、上記支持フレーム５を門型に形成し、上記静止面３と支持フレーム５とで囲まれた空間３９内に上記各水入り容器４を配置したことを特徴とする請求項１から５のうちいずれか１つに記載の放射線遮蔽装置である。
【００１３】
なお、この項において、上記各用語に付記した符号や図面番号は、本発明の技術的範囲を後述の「実施例」の項や図面の内容に限定解釈するものではない。
【発明の効果】
【００１４】
本発明による効果は、次の如くである。
【００１５】
請求項１の発明は、静止面上に、一方向に向かって並設されると共に上下方向に積み重ねられる複数の水入り容器を備えている。
【００１６】
つまり、この遮蔽装置は、静止面上に複数の水入り容器を並設すると共に積み重ねることにより形成されるものであるため、放射線を遮蔽するための研究用や緊急用などとして、上記遮蔽装置の設置は迅速かつ容易にできる。
【００１７】
そして、上記遮蔽装置は、上記静止面上に立設される支持フレームと、上記各水入り容器を互いに連結すると共に、これら各水入り容器を上記支持フレームに連結する連結体とを備えている。
【００１８】
このため、上記遮蔽装置の設置途中において、上記各水入り容器を積み重ねたとき、これら各水入り容器を上記連結体により互いに連結すると共に上記支持フレームに連結してやれば、作業者などから何らかの外力が与えられたり地震が発生したりしたとしても、上記水入り容器が容易に崩れることは防止される。よって、遮蔽装置の設置途中においては、上記したような水入り容器の崩れに大きくは留意しないで足りる分、遮蔽装置の設置作業は、より迅速かつ容易にできる。また、遮蔽装置の設置後には、この遮蔽装置を強度的に安定した状態に維持させることができて、この遮蔽装置の設置後に生じる地震等に強固に対抗できる。
【００１９】
請求項１の発明は、上記連結体が、上記各水入り容器を収容する収容体と、この収容体を上記支持フレームに取り付ける取付具とを有している。
【００２０】
このため、上記静止面上に遮蔽装置を設置する設置作業をする場合には、まず、上記収容体に複数の水入り容器を収容して、ある程度、大型にしたブロックを形成する。そして、このようなブロックを形成する毎に、もしくは、このようなブロックを複数形成した後に、これらブロックを次々と積み重ねると共に、上記連結体により支持フレームに連結すれば、上記設置作業を終えることができる。
【００２１】
よって、上記遮蔽装置の設置作業は、上記水入り容器を一つずつ積み重ねるという手間のかかる作業に比べ、より迅速かつ容易にできる。また、上記水入り容器に比べ、上記ブロックは大型になることから、これらブロックの積み重ねは、より安定的にすることができる。このため、上記設置作業は更に迅速かつ容易にでき、しかも、設置後の遮蔽装置を強度的により安定した状態に維持させることができる。
【００２２】
請求項１の発明は、上記収容体が、平坦形状に展開可能で、上記複数の水入り容器を一体的に包み込むように収容する収容膜体と、この収容膜体に取り付けられ、上記各水入り容器を包み込んだ上記収容膜体を上記各水入り容器と共に結束する結束具とを有している。
【００２３】
このため、上記各水入り容器の形状が互いに相違していたり、予定した形状のものではなかったりしたとしても、これら区々とした形状の水入り容器から所望のものを所望数選択して組み合わせ、上記収容膜体で包み込んで結束具により結束してやれば、これら各水入り容器、収容膜体、および結束具によって所望形状のブロックを形成することができる。しかも、上記結束具の結束により、上記ブロックに剛性を与えて、これを所望形状のままに保形させることができる。
【００２４】
よって、上記遮蔽装置の設置作業は、上記各ブロックを形成し、これらを用いることによって、より迅速かつ容易にできると共に、この遮蔽装置を強度的に、より安定した状態に維持させることができる。
【００２５】
請求項４の発明は、上下方向に積み重ねられた連結体同士を互いに結合する結合具を備えている。
【００２６】
このため、上下方向に積み重ねられた両連結体同士の結合力が向上して、設置後の遮蔽装置を強度的に更に安定した状態に維持させることができる。
【００２７】
請求項５の発明は、上記水入り容器を市販のペットボトルで構成している。
【００２８】
ここで、上記した市販のペットボトルは、容量が同じであれば、互いにほぼ同形状であって入手し易いものである。このため、上記遮蔽装置における連結体は、上記ペットボトルを連結することを予定した形状に予め形成しておくことができる。
【００２９】
よって、上記遮蔽装置を設置するに際しては、所望数のペットボトルを入手し、上記したように形成した連結体を用いることによって、上記遮蔽装置を迅速かつ容易に設置することができる。しかも、上記したように、連結体はペットボトルを連結することを予定した形状のものであるため、予め種々の形状のものを多く準備することは不要である分、上記遮蔽装置の構成を簡単にできて、この遮蔽装置の形成や設置のコストを安価にできる。
【００３０】
請求項６の発明は、上記支持フレームを門型に形成し、静止面と支持フレームとで囲まれた空間内に上記各水入り容器を配置している。
【００３１】
このため、上記各水入り容器は上記支持フレームによって囲まれた状態でこの支持フレームに連結される。よって、地震時などに、この支持フレームの外方から上記各水入り容器に対し何らかの外力を与えられることは上記支持フレームによって防止され、上記遮蔽装置は強度的により安定した状態に維持できる。
【図面の簡単な説明】
【００３２】
【図１】実施例１を示し、全体斜視図である。
【図２】実施例１を示し、部分正面図である。
【図３】実施例１を示し、平面部分断面部分破断図である。
【図４】実施例１を示し、部分側面部分破断図である。
【図５】実施例１を示し、収容膜体を展開した図である。
【図６】実施例２を示し、図２に相当する図である。
【発明を実施するための形態】
【００３３】
本発明の放射線遮蔽装置に関し、遮蔽装置の設置作業が容易かつ迅速にできるようにすると共に、設置後の遮蔽装置を強度的に安定した状態に維持できるようにする、という目的を実現するため、本発明を実施するための形態は、次の如くである。
【００３４】
即ち、放射線遮蔽装置は、静止面上に、一方向に向かって並設されると共に上下方向に積み重ねられる複数の水入り容器と、上記静止面上に立設される支持フレームと、上記各水入り容器を互いに連結すると共に、これら各水入り容器を上記支持フレームに連結する連結体とを備える。
【実施例１】
【００３５】
本発明をより詳細に説明するために、その実施例１を添付の図１〜５に従って説明する。
【００３６】
図１〜４において、符号１は、電子ビームやＸ線の放射線照射装置や放射物質から放射される放射線２を遮蔽して、所定方向への放射を防止する放射線遮蔽装置である。
【００３７】
上記遮蔽装置１は、建物の床や地面等の静止面３上に、水平な一方向Ａに向かって並設されると共に上下方向に積み重ねられる複数の水入り容器４と、上記静止面３上に立設される支持フレーム５と、上記各水入り容器４を互いに連結すると共に、これら各水入り容器４を上記支持フレーム５に連結する連結体６とを備えている。
【００３８】
上記水入り容器４は、密閉状に水が収容される市販のペットボトルで構成され、２リットルの容量を有して互いに同形同大のものとされ、それぞれ縦向き姿勢とされて互いに当接するよう上記一方向Ａに並設されている。
【００３９】
上記支持フレーム５は、断面円形のパイプ材で形成されている。この支持フレーム５は、上記一方向Ａに水平方向で直交する直交方向Ｂに沿う視線で見た正面視（図２）で、全体として門型に形成されている。具体的には、上記支持フレーム５は上記静止面３上に載置もしくは固定されるよう設置される基台９と、この基台９の上に、上記一方向Ａでの各端部から鉛直方向で上方に向かって延びる一対の縦向きフレーム１０，１０と、上記一方向Ａに延び、これら両縦向きフレーム１０，１０の各上端部同士を結合する結合フレーム１１とを有している。
【００４０】
なお、上記基台９の代わりに、上記一対の縦向きフレーム１０，１０の各下端部を地盤等の静止面３に埋設することによって、上記支持フレーム５を立設することも可能である。
【００４１】
上記連結体６は、上記一方向Ａに向かって並設された複数（３本）の水入り容器４を一体的に収容する膜材製の収容体１５と、この収容体１５を上記支持フレーム５に取り付ける取付具１６とを有している。
【００４２】
図１〜５のうち、特に図５で示すように、上記収容体１５は、平坦形状に展開可能で、上記一方向Ａに向かって並設された複数の水入り容器４を一体的に包み込むよう収容する収容膜体１９と、この収容膜体１９に取り付けられ、上記各水入り容器４を包み込んだ上記収容膜体１９を上記各水入り容器４と共に結束する結束具２０とを有している。
【００４３】
上記収容膜体１９は、ケナフ繊維等の天然繊維、ポリエステル繊維等の合成繊維、もしくはガラス繊維等の無機繊維等により形成される織物である基材と、この基材の表裏の各外面に被覆（コーティング）されるポリ塩化ビニル（ＰＶＣ）やポリプロピレン（ＰＰ）、ポリウレタン（ＰＵ）、エチレン−酢酸ビニル共重合体（ＥＶＡ）など熱可塑性樹脂材製やゴム製の外面材（コーティング材）とを備えている。なお、上記収容膜体１９は、上記外面材を備えない上記繊維のみにより形成される織物または不織布からなるものであってもよいし、上記熱可塑性樹脂またはゴムのみからなるシートであってもよい。更に、上記熱可塑性樹脂やゴムには、放射線遮蔽効果の高いタングステン粉末や硫酸バリウム粉末を含有させたものであってもよく、このようにすれば、より放射線の遮蔽効果を高くすることができる。
【００４４】
上記収容膜体１９は、上記一方向Ａかつ上下方向に延び、上記一方向Ａに向かって並設された各水入り容器４に対し上記直交方向Ｂで対面する矩形状の基部膜体２３と、この基部膜体２３の下端縁部から一体的に延出し、上記各水入り容器４の下部をその下方から包み込む下部膜体２４と、上記基部膜体２３の上端縁部から一体的に延出し、上記各水入り容器４の上部をその上方から包み込む上部膜体２５と、上記基部膜体２３の上記一方向Ａでの各側端縁部から一体的に延出し、上記各水入り容器４の各側部をその外側方から包み込む一対の側部膜体２６，２６とを有している。
【００４５】
なお、上記収容膜体１９は、その各構成膜体２３〜２６を互いに別体に形成し、その後、これらを溶着、接着、もしくは縫合などにより互いに固着することにより形成してもよい。また、上記収容膜体１９は、その展開状態で全体として十字形状をなしているが、全体として矩形状の膜材に切れ目を入れることだけで上記収容膜体１９を形成してもよい。
【００４６】
上記結束具２０は、上記各水入り容器４を包み込んだ上記収容膜体１９における上記各側部膜体２６，２６の各延出端縁部を繊維製のバンド２８を介し互いに着脱可能に連結するバックル２９と、このバックル２９により連結する上記各側部膜体２６，２６の各延出端縁部同士を互いに引き寄せるよう上記バンド２８を絞め付け可能とする絞め付け具３０と、上記した収容膜体１９における上記下部膜体２４と上部膜体２５との各延出端部をワンタッチ式に着脱可能に固着する一対の面テープ３２，３２とを有している。
【００４７】
なお、上記結束具２０は、バックル２９がなくてもよく、上記側部膜体２６から延出した上記バンド２８の延出端部を上記締め付け具３０に着脱可能に連結してもよい。また、上記結束具２０は、上記バックル２９と絞め付け具３０とが共になくてもよく、この場合、上記各側部膜体２６，２６の各延出端縁部から延出した各バンド２８の各延出端部を互いに結ぶことによって締め付けるようにしてもよい。また、上記結束具２０としてベルトやロープ等の紐状体が利用可能である。
【００４８】
前記取付具１６は、上記収容膜体１９の各側部膜体２６にそれぞれ固着され、上記支持フレーム５の縦向きフレーム１０に巻き付け可能とされるバンド３５と、これら各バンド３５にそれぞれ取付られ、これら各バンド３５を上記縦向きフレーム１０に巻き付けた状態に解除可能に保持するクリップ３６とを有している。なお、上記バンド３５の代わりにロープやベルトを設けておき、これらの両端部を結束することによって、取付具１６とすることもできる。
【００４９】
特に図１において、上記各水入り容器４を収容した各連結体６の収容体１５は、上記静止面３と門型の支持フレーム５とで囲まれた空間３９内に配置され、かつ、上下方向で積み重ねられる。
【００５０】
また、上記したように、上下方向で積み重ねられた各収容体１５同士を互いに結合する結合具４１が設けられる。この結合具４１は、上記積み重ねられた各収容体１５の収容膜体１９と結束具２０との間の隙間に順次挿通されるパイプ製の棒材で構成される。
【００５１】
なお、上記結合具４１は、上記各収容体１５の収容膜体１９と、この収容膜体１９の外面に両端固着されるバンドの長手方向の中途部との間の隙間に順次挿通される棒材であってもよく、上記各収容体１５の収容膜体１９に形成された貫通孔に順次される棒材であってもよい。また、上記棒材に代えて、上記結合具４１をロープやチェーンなどの可撓性長尺体としてもよい。
【００５２】
また、上記遮蔽装置１を上記一方向Ａや直交方向Ｂで複数並設して互いに連結してもよい。また、上下方向に積み重ねた複数の水入り容器４群を直交方向Ｂで並設して、それぞれ上記支持フレーム５に連結してもよい。また、上記一方向Ａは上下方向であってもよく、この場合、上記連結体６の収容体１５は、上下方向に並設された複数の水入り容器４を収容するものとされる。また、上記水入り容器４は、横向き姿勢にさせたペットボトルでもよく、また、このようなペットボトルに限定されることはなく、例えば、市販の樹脂製のタンクに水を注入したものであってもよい。また、上記各水入り容器４の容量や形状は互いに相違していてもよい。
【００５３】
また、上記収容体１５を一つの支持フレーム５に対しその空間３９内に複数設け、上記各収容体１５に水入り容器４を一つずつもしくは複数個を一単位として個別に収容させてもよい。また、このようにした場合には、上記各収容体１５同士を互いに連結すると共に、これら収容体１５群の端部に位置する各収容体１５をそれぞれ上記支持フレーム５に連結させればよい。また、上記収容体１５は、後述する実施例２のような袋形状に加工されたものであってもよい。
【００５４】
上記構成によれば、静止面３上に、一方向Ａに向かって並設されると共に上下方向に積み重ねられる複数の水入り容器４を備えている。
【００５５】
つまり、この遮蔽装置１は、静止面３上に複数の水入り容器４を並設すると共に積み重ねることにより形成されるものであるため、放射線２を遮蔽するためなどの研究用や緊急用などとして、上記遮蔽装置１の設置は迅速かつ容易にできる。
【００５６】
そして、上記遮蔽装置１は、上記静止面３上に立設される支持フレーム５と、上記各水入り容器４を互いに連結すると共に、これら各水入り容器４を上記支持フレーム５に連結する連結体６とを備えている。
【００５７】
このため、上記遮蔽装置１の設置途中において、上記各水入り容器４を積み重ねたとき、これら各水入り容器４を上記連結体６により互いに連結すると共に上記支持フレーム５に連結してやれば、作業者などから何らかの外力が与えられたり地震が発生したりしたとしても、上記水入り容器４が容易に崩れることは防止される。よって、遮蔽装置１の設置途中においては、上記したような水入り容器４の崩れに大きくは留意しないで足りる分、遮蔽装置１の設置作業は、より迅速かつ容易にできる。また、遮蔽装置１の設置後には、この遮蔽装置１を強度的に安定した状態に維持させることができて、この遮蔽装置１の設置後に生じる地震等に強固に対抗できる。
【００５８】
また、前記したように、連結体６が、上記各水入り容器４を収容する収容体１５と、この収容体１５を上記支持フレーム５に取り付ける取付具１６とを有している。
【００５９】
このため、上記静止面３上に遮蔽装置１を設置する設置作業をする場合には、まず、上記収容体１５に複数の水入り容器４を収容して、ある程度、大型にしたブロック４，１５を形成する。そして、このようなブロック４，１５を形成する毎に、もしくは、このようなブロック４，１５を複数形成した後に、これらブロック４，１５を次々と積み重ねると共に、上記連結体６により支持フレーム５に連結すれば、上記設置作業を終えることができる。
【００６０】
よって、上記遮蔽装置１の設置作業は、上記水入り容器４を一つずつ積み重ねるという手間のかかる作業に比べ、より迅速かつ容易にできる。また、上記水入り容器４に比べ、上記ブロック４，１５は大型になることから、これらブロック４，１５の積み重ねは、より安定的にすることができる。このため、上記設置作業は更に迅速かつ容易にでき、しかも、設置後の遮蔽装置１を強度的により安定した状態に維持させることができる。
【００６１】
また、前記したように、収容体１５が、平坦形状に展開可能で、上記複数の水入り容器４を一体的に包み込むように収容する収容膜体１９と、この収容膜体１９に取り付けられ、上記各水入り容器４を包み込んだ上記収容膜体１９を上記各水入り容器４と共に結束する結束具２０とを有している。
【００６２】
このため、上記各水入り容器４の形状が互いに相違していたり、予定した形状のものではなかったりしたとしても、これら区々とした形状の水入り容器４から所望のものを所望数選択して組み合わせ、上記収容膜体１９で包み込んで結束具２０により結束してやれば、これら各水入り容器４、収容膜体１９、および結束具２０によって所望形状のブロック４，１９を形成することができる。しかも、上記結束具２０の結束により、上記ブロック４，１９に剛性を与えて、これを所望形状のままに保形させることができる。
【００６３】
よって、上記遮蔽装置１の設置作業は、上記各ブロック４，１９を形成し、これらを用いることによって、より迅速かつ容易にできると共に、この遮蔽装置１を強度的に、より安定した状態に維持させることができる。
【００６４】
また、前記したように、上下方向に積み重ねられた連結体６同士を互いに結合する結合具４１を備えている。
【００６５】
このため、上下方向に積み重ねられた両連結体６，６同士の結合力が向上して、設置後の遮蔽装置１を強度的に更に安定した状態に維持させることができる。
【００６６】
また、前記したように、水入り容器４を市販のペットボトルで構成している。
【００６７】
ここで、上記した市販のペットボトルは、容量が同じであれば、互いにほぼ同形状であって入手し易いものである。このため、上記遮蔽装置１における連結体６の収容体１５や、この収容体１５の収容膜体１９は、上記ペットボトルを連結（収容）することを予定した形状に予め形成しておくことができる。
【００６８】
よって、上記遮蔽装置１を設置するに際しては、所望数のペットボトルを入手し、上記したように形成した連結体６を用いることによって、上記遮蔽装置１を迅速かつ容易に設置することができる。しかも、上記したように、連結体６はペットボトルを連結することを予定した形状のものであるため、予め種々の形状のものを多く準備することは不要である分、上記遮蔽装置１の構成を簡単にできて、この遮蔽装置１の形成や設置のコストを安価にできると共に、一般的に立方体でない立体形状である市販のペットボトルを積み重ねるにあたっても安定して積み重ねることが可能となる。
【００６９】
更に、ペットボトルを上記収容体１５に収容することから、太陽光が直接ペットボトルに照射されることが防止され、ペットボトルの劣化防止効果や、レンズ効果による火災の発生も防止することが可能となる。
【００７０】
また、前記したように、支持フレーム５を門型に形成し、静止面３と支持フレーム５とで囲まれた空間３９内に上記各水入り容器４を配置している。
【００７１】
このため、上記各水入り容器４は上記支持フレーム５によって囲まれた状態でこの支持フレーム５に連結される。よって、地震時などに、この支持フレーム５の外方から上記各水入り容器４に対し何らかの外力を与えられることは、上記支持フレーム５によって防止され、上記遮蔽装置１は強度的により安定した状態に維持できる。
【００７２】
以下の図６は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００７３】
本発明をより詳細に説明するために、その実施例２を添付の図６に従って説明する。
【００７４】
図６において、上記連結体６が有する収容体１５は上方に向かって開口する膜材製の袋体４５とされている。このため、図面上、上記収容体１５には、前記実施例１で示した収容膜体１９および結束具２０は存在していない。
【００７５】
上下方向で積み重ねられた袋体４５，４５同士を結合する結合具４１が設けられる。この結合具４１は、前記実施例１にて説明の結束具２０が有するバックル２９および絞め付け具３０と同構成とされている。
【００７６】
上記構成によれば、遮蔽装置１の設置作業において、上記各水入り容器４を収容体１５に収容させるとき、この収容は、この収容体１５の袋体４５に単に各水入り容器４を挿入させることにより達成される。よって、その分、上記遮蔽装置１の設置作業は、より迅速かつ容易にできる。
【００７７】
なお、上記収容体１５の袋体４５の上端開口を閉じるよう、上記袋体４５の上端縁部から延出する蓋膜体を設けてもよい。
【符号の説明】
【００７８】
１    遮蔽装置
２    放射線
３    静止面
４    水入り容器
５    支持フレーム
６    連結体
１５  収容体
１６  取付具
１９  収容膜体
２０  結束具
２３  基部膜体
２４  下部膜体
２５  上部膜体
２６  側部膜体
３９  空間
４１  結合具
４５  袋体
Ａ    一方向
Ｂ    直交方向
【図１】
0006046910.tif 000002
【図２】
0006046910.tif 000003
【図３】
0006046910.tif 000004
【図４】
0006046910.tif 000005
【図５】
0006046910.tif 000006
【図６】
0006046910.tif 000007